(57)【要約】【課題】背表紙の幅を可変に構成したファイルの耐久性及び見栄えの向上を図る。【解決手段】表表紙１と、裏表紙４と、背表紙３とを有し、前記表表紙１を、前記背表紙３を挿入可能な袋体状のものにしてこの背表紙３の幅を可変にしているとともに、これら表表紙１、裏表紙４、及び背表紙３を全て樹脂により形成し、さらに前記背表紙３に予め折り罫を設けることなく構成するようにした。【選択図】図２
2004066668.tif 000002
【特許請求の範囲】
【請求項１】
表表紙と、裏表紙と、背表紙とを有し、前記表表紙又は前記裏表紙の少なくとも一方を前記背表紙を挿入可能な袋体状のものにしてこの背表紙の有効幅を可変にしているとともに、これら表表紙、裏表紙、及び背表紙を全て樹脂により形成し、さらに前記背表紙に予め折り罫を設けることなく構成していることを特徴とするファイル。
【請求項２】
前記表表紙又は前記裏表紙の一方を袋体状のものにして前記背表紙を挿入可能にしているとともに、他方に前記背表紙を溶着していることを特徴とする請求項１記載のファイル。
【請求項３】
前記表表紙又は前記裏表紙の一方を外面材と内面材とを貼り合わせて形成しているとともに、他方を１枚の板状樹脂により形成していることを特徴とする請求項２記載のファイル。
【請求項４】
前記内面材の厚さ寸法を前記外面材の厚さ寸法よりも大きくしていることを特徴とする請求項３記載のファイル。
【請求項５】
前記外面材の厚さ寸法と前記内面材の厚さ寸法との合計が、１枚の板状樹脂により形成している前記表表紙又は前記裏表紙の厚さ寸法よりも大きいとともに、前記外面材の厚さ寸法及び前記内面材の厚さ寸法が１枚の板状樹脂により形成している前記表表紙又は前記裏表紙の厚さ寸法以下であることを特徴とする請求項３又は４記載のファイル。
【請求項６】
前記背表紙を透明又は半透明の樹脂により構成しているとともに、ポケット状に構成して見出しを挿入可能に構成していることを特徴とする請求項１、２、３、４、又は５記載のファイル。
【発明の詳細な説明】
【０００１】
【発明の属する技術分野】
本発明は、紙葉類を差し替え可能に挟み込み、背表紙の幅が可変であるファイルに関する。
【０００２】
【従来の技術】
紙葉類を差し替え可能に挟み込むファイルにおいて、挟み込む紙葉類の量に応じて背表紙の有効幅を可変に構成したファイルが考えられている。
【０００３】
この種のファイルは、従来、表表紙、裏表紙、及び背表紙の全てを紙により構成していて、表表紙又は裏表紙の一方を袋体状に構成して背表紙を挿入可能にしているとともに、表表紙又は裏表紙の他方と背表紙とを１枚の紙により形成し、背表紙には折り罫を多数設けて背表紙の有効幅を変化させやすくしている。
【０００４】
【発明が解決しようとする課題】
ところが、このように背表紙を紙により形成し、上述したように折り罫を多数設けると、このようなファイルを書棚などに収納した場合折り罫が外部に露出して見栄えの点で難がある。また、紙葉類の量を頻繁に変化させる場合、背表紙を頻繁に出し入れすることになり、また１度折り曲げた箇所を再び折り曲げるようなことが起こり得るが、上述したように表表紙、裏表紙、及び背表紙の全てを紙により構成した場合、背表紙に折りグセがついてこの部分の強度が低下する。さらに、表表紙又は裏表紙の一方に設けた背表紙挿入口部分もまた、背表紙との摩擦により劣化する。すなわち、これらの部分の見栄えがさらに悪くなるとともに耐久性も低下するという不具合が生じる。
【０００５】
本発明は以上に述べた課題を解決すべく、背表紙の有効幅を可変に構成したファイルの耐久性及び見栄えの向上を図るものである。
【０００６】
【課題を解決するための手段】
すなわち本発明に係るファイルは、表表紙と、裏表紙と、背表紙とを有し、前記表表紙又は前記裏表紙の少なくとも一方を前記背表紙を挿入可能な袋体状のものにしてこの背表紙の有効幅を可変にしているとともに、これら表表紙、裏表紙、及び背表紙を全て樹脂により形成し、さらに前記背表紙に予め折り罫を設けることなく構成していることを特徴とする。
【０００７】
このように構成したものであれば、表表紙、裏表紙、及び背表紙を全て樹脂により形成しているとともに、背表紙に予め折り目を設けることなく構成しているので、これら全てを紙により形成し、背表紙に予め折り目を設けた従来のものと比較して、背表紙に折りグセがつきにくくなり、また背表紙を薄手のものにできることにより背表紙挿入口の部分と背表紙との摩擦による影響を低下できる。したがって、背表紙及び背表紙挿入口の部分の耐久性の向上を図ることができるようになると同時に、見栄えの向上を図ることもできるようになる。なお、「背表紙の有効幅」とは、背表紙のうち引き出されて有効に利用されている部分の幅を示す概念である。
【０００８】
このように表表紙、裏表紙、及び背表紙を全て樹脂により形成したファイルを無理なく製造できるようにするための態様として、前記表表紙又は前記裏表紙の一方を袋体状のものにして前記背表紙を挿入可能にしているとともに、他方に前記背表紙を溶着しているものが挙げられる。
【０００９】
このようなファイルをより簡単かつ見栄え良く形成するには、前記表表紙又は前記裏表紙の一方を外面材と内面材とを貼り合わせて形成しているとともに、他方を１枚の板状樹脂により形成するとよい。このようにすれば、外面材を内側に折り込んで内面材に溶着などにより接着することで簡単に袋体状にでき、接着部が外部に露出しないので見栄えも好適にできるからである。
【００１０】
外面材を折り込んで内面材に溶着し袋体状にする構成を簡単に実現するには、前記内面材の厚さ寸法を前記外面材の厚さ寸法よりも大きくすればよい。このようなものであれば、前記外面材を簡単に折り曲げて前記内面材に溶着できるからである。また、内面材の厚さ寸法を大きくすることにより、綴じ具等を取り付けるのに十分な剛性を確保できるようにもなる。
【００１１】
このようなファイルの使用感をより自然なものとするには、前記外面材の厚さ寸法と前記内面材の厚さ寸法との合計が、１枚の板状樹脂により形成している前記表表紙又は前記裏表紙の厚さ寸法よりも大きくするとともに、前記外面材の厚さ寸法及び前記内面材の厚さ寸法が１枚の板状樹脂により形成している前記表表紙又は前記裏表紙の厚さ寸法以下であるようにすればよい。このようなものであれば、前記表表紙又は前記裏表紙のうち袋体状に形成した側の厚さ寸法は１枚の板状樹脂により形成した側の厚さ寸法の１倍〜２倍の範囲で、袋体状に形成した側は２重になっているので、全体としては前記表表紙及び前記裏表紙の剛性を略同じにできるようになるからである。
【００１２】
このように背表紙を樹脂により構成したものをより効果的に利用する態様として、前記背表紙を透明又は半透明の樹脂により構成しているとともに、ポケット状に構成して見出しを挿入可能に構成しているものを挙げることができる。
【００１３】
【発明の実施の形態】
以下、本発明の一実施形態について、図面を参照して説明する。
【００１４】
本実施形態に係るファイルＦは、分解斜視図を図１、斜視図を図２にそれぞれ示すように、表表紙１と、表表紙１の一端に設けた細長い板状をなす押さえ板部２と、背表紙３と、裏表紙４と、裏表紙４の一端に設けた細長い板状をなす基板部５と、綴じ足６と、前記基板部５の長手方向に延びる形状をなし前記綴じ足６を挿通させて係止するように構成した綴じ足係止部７とを具備する。
【００１５】
綴じ足６は、図１に示すように基端部６２から綴じ足本体６１を延ばして形成している。また、図１に示すように、基板部５には、綴じ足６を挿通させ、また係止するように取付孔５ａを１対設けていて、この取付孔５ａから綴じ足本体６１を表表紙１に向けて挿し通すようにしている。
【００１６】
綴じ足係止部７は、図１及び図２に示すように、前記押さえ板部２に設けられていて、前記綴じ足６を図示しない係止つまみを用いて固定する機能を有する。また、前記押さえ板部２には、前記綴じ足６を挿通させるための綴じ足挿通孔２ａを設けてあり、さらに前記綴じ足係止部７にはこの綴じ足挿通孔２ａに重合させて図示しない綴じ足挿通孔を設けている。なお、この綴じ足係止部７は、紙葉類を差し替え可能に挟みこむように構成したこの種のファイルに用いられる綴じ具の綴じ足係止部として周知のものと同様の構成を有する。
【００１７】
しかして本実施形態では、前記表表紙１、前記押さえ板部２、前記背表紙３、前記裏表紙４、及び前記基板部５は全て樹脂により形成しているとともに、背表紙３に予め折り罫を設けることなくその有効幅を可変に構成している。
【００１８】
具体的には、表表紙１は、図３に示す外面材１１と図４に示す内面材１２とにより袋体状に形成していて、図２に示すように、外面材１１と内面材１２と間の空間を前記背表紙３を挿入可能に構成した背表紙挿入口１ａとしている。前記外面材１１は、その上縁部、下縁部、及び背表紙と反対側の縁部に図３中の斜線部で示す折り込み取付部１１ａを設けていて、この折り込み取付部１１ａを折り線Ｌ１で内方に折り込んで図４の斜線部に示す内面材１２の外面材取り付け部１２ａに重合させ、この内面材１２に溶着するように構成している。本実施形態では、この外面材１１は厚さ寸法０．４ｍｍの樹脂シートにより形成している。一方、前記内面材１２は、厚さ寸法０．８ｍｍの樹脂シートにより形成し、前記外面材よりも厚さ寸法を大きくしているとともに、背表紙３側の端縁を折り線Ｌ３で折り込んで前記押さえ板部２を形成している。このように構成した表表紙の斜視図を図５に示す。
【００１９】
また、前記背表紙３は、本実施形態では図６に示す厚さ寸法０．２ｍｍの１枚の透明樹脂シートを折り線Ｌ４で折り返して折り目を底辺３ｘとしているとともに、図８に示すように一端部に設けた取付部３ａを前記裏表紙４の背表紙取り付け部４ａに溶着し、他端部を折り線Ｌ５で折り返してストッパ３ｂを設けている。このストッパ３ｂは前記表表紙１の外面材１１の端縁を図３の折り線Ｌ２で折り返して設けた背表紙ストッパ１１ｂと係合して、この背表紙３が外れないようにしている。そして、この背表紙３内には、底辺３ｘと反対側の端縁に形成した見出し挿入口３ｙから図８に示す背紙８を挿入可能に構成している。なお、本実施形態では、この背表紙３の表表紙１への出し入れをスムーズに行うようにすべく、表面にエンボス加工を施している。また、折り線Ｌ５から所定距離だけ前記取付部３ａ側に偏位した箇所を溶着して前記背紙８の位置決め機能を有する背紙位置決め部３ｃを設けている。
【００２０】
一方、裏表紙４は、図７に示す厚さ寸法１．０ｍｍの１枚の樹脂シートにより形成している。また、背表紙３側の端縁を折り線Ｌ６で折り込んで基板部５を形成している。そして、図８に示すように、この裏表紙４の基板部５との境界付近に背表紙取付部４ａを設け、この背表紙取付部４ａに前記背表紙３を溶着している。なお、この裏表紙４の厚さ寸法１．０ｍｍは、前記表表紙１の外面材１１の厚さ寸法０．４ｍｍ及び内面材１２の厚さ寸法０．８ｍｍのいずれよりも大きく、これら外面材１１及び内面材１２の厚さ寸法の合計１．２ｍｍよりは小さい。
【００２１】
このように構成したファイルＦは、背表紙３を表表紙１に対して出し入れし、紙葉類Ｐの量に応じて紙葉類を最も適切に挟みこめるように位置を合わせて折り曲げることにより、背表紙３の有効幅を変更するようにしている。
【００２２】
以上のように、背表紙３及び表表紙１を全て樹脂により形成しているとともに、背表紙３に予め折り罫を設けていないので、背表紙に折りグセがつきにくくなるとともに、背表紙３に厚さ寸法０．２ｍｍの薄手の樹脂を用いることができるので背表紙３と背表紙挿入口１ａとの間の摩擦の影響を低下できる。したがって、背表紙３及び背表紙挿入口１ａの部分の耐久性の向上を図ることができるようになると同時に、見栄えの向上を図ることもできるようになる。
【００２３】
また、前記背表紙３を前記裏表紙４に溶着するようにしているので、前記背表紙３の取り付けが簡単であり、かつ外れにくいようにできる。
【００２４】
さらに、前記表表紙１を外面材１１と内面材１２とを貼り合わせて形成しているので、簡単かつ見栄えよく表表紙１を袋体状に形成できる。
【００２５】
加えて、前記内面材１２の厚さ寸法を前記外面材１１の厚さ寸法よりも大きくしているので、外面材１１を簡単に折り曲げて内面材１２に溶着できるとともに、内面材１２の厚さ寸法を大きくすることにより、綴じ足止め部７等の綴じ具を取り付けるのに十分な剛性を確保できる。
【００２６】
また、前記外面材１１と前記内面材１２との厚さ寸法がともに前記裏表紙４の厚さ寸法よりも小さく、前記外面材１１と前記内面材１２とを合わせた前記表表紙１全体としての厚さ寸法を前記裏表紙４の厚さ寸法よりも大きくしているので、前記表表紙１と前記裏表紙４との剛性を略同じにでき、ファイルＦの使用感をより自然なものとすることができる。
【００２７】
そして、前記背表紙３を透明樹脂により構成しているとともに、ポケット状に構成して背紙８を挿入可能に構成しているので、このように構成したファイルＦに背紙８を利用して見出しを簡単に設定できる。
【００２８】
なお、この発明は以上に述べたように実施形態に限らない。
【００２９】
例えば、上述した実施形態とは逆に、裏表紙を袋体状に構成してもよい。
【００３０】
また、背表紙は完全に透明なものでなく、着色透明のものや半透明のものであってもよい。背表紙が着色透明なものや半透明のものであっても、見出しを挿入して外部から見出しを見ることができるように構成できるからである。また、見出しを挿入する形態にこだわらないのであれば、不透明なものであってもよい。さらに、２枚の樹脂シートを表表紙又は裏表紙に溶着して構成してもよい。
【００３１】
さらに、袋体状に構成した表表紙及び裏表紙の一方の外面材及び外面材の厚さ寸法は任意に設定してよく、また、１枚の板状樹脂で形成する他方の厚さ寸法も任意に設定してよい。例えば、表表紙を厚さ寸法０．７５ｍｍの内面材と厚さ寸法０．３８ｍｍの外面材とを貼り合わせて形成するとともに、裏表紙を厚さ寸法０．７５ｍｍの板状樹脂により形成してもよい。この場合、前記表表紙の内面材の厚さ寸法は前記外面材の厚さ寸法よりも大きく、前記裏表紙の厚さ寸法と同じである。すなわち、表表紙の内面材の厚さ寸法と外面材の厚さ寸法との合計は前記裏表紙の厚さ寸法よりも大きく、上述したような厚さ寸法０．８ｍｍの内面材と厚さ寸法０．４ｍｍの外面材とを有する表表紙と厚さ寸法１．０ｍｍの裏表紙とを具備する実施形態と略同様の効果を得ることができる。
【００３２】
そして、背表紙を裏表紙又は表表紙に接着する際には、溶着する替わりに、接着材等を用いて接着するようにしてもよい。
【００３３】
加えて、１枚の樹脂シートを袋体状をなすように折り込んで表表紙又は裏表紙を形成するようにしてもよい。
【００３４】
その他、背表紙表面のエンボス加工を省略する等、本発明の趣旨を損ねない範囲で種々に変形してよい。
【００３５】
【発明の効果】
本発明では、表表紙又は裏表紙の少なくとも一方を前記背表紙を挿入可能な袋体状のものにしてこの背表紙の幅を調整可能にしているとともに、これら表表紙、裏表紙、及び背表紙を全て樹脂により形成し、さらに予め背表紙に折り罫を設けていないので、折り罫や折りグセが露出することをなくすことができて見栄えを向上することができるとともに、折りグセや背表紙挿入口部と背表紙との摩擦による劣化が起こりにくいので、このような背表紙の幅が調整可能なファイルの耐久性の向上をも図ることができる。
【図面の簡単な説明】
【図１】本発明の一実施形態に係るファイルの分解斜視図。
【図２】同実施形態に係るファイルの斜視図。
【図３】同実施形態に係るファイルの表表紙の外面材を示す平面図。
【図４】同実施形態に係るファイルの表表紙の内面材を示す平面図。
【図５】同実施形態に係るファイルの表表紙を示す斜視図。
【図６】同実施形態に係るファイルの背表紙を示す平面図。
【図７】同実施形態に係るファイルの裏表紙を示す平面図。
【図８】同実施形態に係るファイルの裏表紙に背表紙を溶着した状態を示す斜視図。
【符号の説明】
１…表表紙
１１…外面材
１２…内面材
１ａ…背表紙挿入口
３…背表紙
４…裏表紙
【図１】
2004066668.tif 000003
【図２】
2004066668.tif 000004
【図３】
2004066668.tif 000005
【図４】
2004066668.tif 000006
【図５】
2004066668.tif 000007
【図６】
2004066668.tif 000008
【図７】
2004066668.tif 000009
【図８】
2004066668.tif 000010
【手続補正書】
【提出日】平成15年8月22日(2003.8.22)
【手続補正１】
【補正対象書類名】明細書
【補正対象項目名】００３１
【補正方法】変更
【補正の内容】
【００３１】
さらに、袋体状に構成した表表紙及び裏表紙の一方の外面材及び内面材の厚さ寸法は任意に設定してよく、また、１枚の板状樹脂で形成する他方の厚さ寸法も任意に設定してよい。例えば、表表紙を厚さ寸法０．７５ｍｍの内面材と厚さ寸法０．３８ｍｍの外面材とを貼り合わせて形成するとともに、裏表紙を厚さ寸法０．７５ｍｍの板状樹脂により形成してもよい。この場合、前記表表紙の内面材の厚さ寸法は前記外面材の厚さ寸法よりも大きく、前記裏表紙の厚さ寸法と同じである。すなわち、表表紙の内面材の厚さ寸法と外面材の厚さ寸法との合計は前記裏表紙の厚さ寸法よりも大きく、上述したような厚さ寸法０．８ｍｍの内面材と厚さ寸法０．４ｍｍの外面材とを有する表表紙と厚さ寸法１．０ｍｍの裏表紙とを具備する実施形態と略同様の効果を得ることができる。